(57)【特許請求の範囲】
【請求項１】
略円弧状を呈して対となって対向配置される各磁気コアにボビンを介在させて各別に巻線を施してなる一対のコアセンサと、これらコアセンサに各別に覆設されるコアカバーとを有して開閉自在に形成されるクランプ式電流計において、
前記コアカバーのそれぞれは、コアセンサを収納して相互を対面合致させるべく二つ割りされた一対のカバー部で形成され、
一方のカバー部にあって他方のカバー部と対向する内側面には、巻線から引き出された始端部と終端部とに各別にリード線を連結して形成される各連結部を個別に差し込んで収納する計２個の保持筒部を突設するとともに、
他方のカバー部の前記内側面の対応部位に設けたボス部との当接時にリード線側を引き出すための切欠部を設け、該切欠部を介して引き出されたリード線を他方のコアカバーの前記ボス部を利用してウエルダ溶着したことを特徴とするクランプ式電流計。
【発明の詳細な説明】
【０００１】
【発明の属する技術分野】
本発明は、巻線から引き出されている始端部と終端部とに各別にリード線を連結して形成される連結部を確実にコアカバー内に収納できるようにしたクランプ式電流計に関する。
【０００２】
【従来の技術】
図３は、従来からあるクランプ式電流計が備える一対のコアセンサにつき一方のコアセンサを例に巻線から引き出された始端部と終端部とに各別にリード線を連結して形成される各連結部の配置状況を示す説明図である。
【０００３】
同図によれば、磁性鋼板を積層させて略円弧状を呈して配置される磁気コア２との間にボビン３を介在させ、該ボビン３にその始端部４ａと終端部４ｂとを引き出した状態で巻線４を施こすことによりコアセンサ１が形成されている。
【０００４】
また、上記コアセンサ１は、巻線４の始端部４ａと終端部４ｂとを各別にリード線５，６に絡め付けてはんだ付けしてなる連結部７，８を有している。この場合、終端部４ｂにおける巻線４の側からの引出し部位は、図３（イ）の正面図と図３（ロ）の左側面図とに示されているように絶縁テープ９を巻き付けて巻線４の背面側にその位置が固定されている。しかも、始端部４ａ側の連結部７は、連結部７，８を固定した後の正面図である図３（ハ）に示すように、巻線４と短絡しないようにコアセンサ１の背面側に位置させて絶縁テープ１０を巻き付けることにより固定するとともに、さらに終端部４ｂ側の連結部８を始端部４ａ側の連結部７とほぼ同位置にて相互に短絡しないように重ね巻きされた絶縁テープ１０により固定した上で、各リード線５，６がコアカバーの内側面の側へと引き出されている。
【０００５】
【発明が解決しようとする課題】
しかし、上記従来手法によれば、絶縁テープ１０を介在させているとはいえ、巻線４部分にて始端部４ａと終端部４ｂとを処理するものであるため巻線４の絶縁被覆層を傷付けて短絡するおそれがあるばかりでなく、絶縁テープ１０に予期せぬ穴が開いてしまった場合などに相互に短絡するおそれもあった。
【０００６】
さらに、連結部７，８は、絶縁テープ１０で重ね巻きして位置を固定するものであることから、それだけ工程数が増えて作業効率が悪いばかりでなく、リード線５，６の側に引張力などの負荷がかかった際、固定状態にあった連結部７，８が絶縁テープ１０から引き離されてコアセンサ１の側から離脱してしまうなどの不都合もあった。
【０００７】
本発明は従来手法にみられた上記課題に鑑み、各別に連結形成される巻線の始端部とリード線との間の連結部と、終端部とリード線との間の連結部とのそれぞれを相互の短絡を阻止しながら、容易に、かつ、安定的に位置固定させることができるようにしたクランプ式電流計を提供することをその目的とする。
【０００８】
【課題を解決するための手段】
本発明は上記目的を達成すべくなされたものであり、略円弧状を呈して対となって対向配置される各磁気コアにボビンを介在させて各別に巻線を施してなる一対のコアセンサと、これらコアセンサに各別に覆設されるコアカバーとを有して開閉自在に形成されるクランプ式電流計において、前記コアカバーのそれぞれは、コアセンサを収納して相互を対面合致させるべく二つ割りされた一対のカバー部で形成され、一方のカバー部にあって他方のカバー部と対向する内側面には、巻線から引き出された始端部と終端部とに各別にリード線を連結して形成される各連結部を個別に差し込んで収納する計２個の保持筒部を突設するとともに、他方のカバー部の前記内側面の対応部位に設けたボス部との当接時にリード線側を引き出すための切欠部を設け、該切欠部を介して引き出されたリード線を他方のコアカバーの前記ボス部を利用してウエルダ溶着したことに構成上の特徴がある。
【０００９】
【発明の実施の形態】
図１は、本発明の一例を部分的に示す要部説明図であり、クランプ式電流計１１の全体は、磁性鋼板を積層させることにより略円弧状を呈して対となって対向配置される各磁気コア１３と、これら磁気コア１３にボビン１４を介在させて各別に巻線１５を施してなる一対のコアセンサ１２と、これらコアセンサ１２に各別に覆設される絶縁性の樹脂成型体からなるコアカバー２２とを少なくとも備え、図示しない被測定導体を一対のコアセンサ１２がその閉止時に形成する囲繞空間部内に活線状態で導入できるよう開閉自在となって形成されている。
【００１０】
この場合、コアセンサ１２は、巻線１５から引き出されている適宜長さの始端部１５ａと終端部１５ｂとを各別にリード線１６，１７に絡め付けてはんだ付けしてなる連結部１８，１９を有している。この場合、終端部１５ｂにおける巻線１５の側からの引出し部位は、絶縁テープ２０を巻き付けて巻線１５の背面側に位置固定されている（図示を省略しているが他方のコアセンサも同様にして構成されている。）
【００１１】
一方、コアカバー２２のそれぞれは、コアセンサ１２を収納して相互を対面合致させるべく二つ割りされた一対のカバー部２３で形成されている。なお、図１においては、開閉操作用のレバー２５を備えた一方の側のカバー部２３のみが示されている。
【００１２】
また、上記カバー部２３にあって他方のカバー部（図示せず）と対向する内側面２４におけるレバー２５との近傍部位には、巻線１５から引き出された始端部１５ａと終端部１５ｂとに各別にリード線１６，１７を連結して形成される連結部１８，１９をそれぞれ個別に差し込んで収納できる計２個の保持筒部２６が突設されている。
【００１３】
しかも、各保持筒部２６の開口縁部２７には、カバー部２３と図示しない他方のカバー部とを対面合致させた際に、保持筒部２６の開口縁部２７と他方のカバー部のボス部（カバー部２３の保持筒部２６に相当）の開口縁部との間に始端部１５ａもしくは終端部１５ｂと、リード線１６もしくはリード線１７とを円滑に導入・導出するために必要な空隙を確保すべく切欠部２８が設けられている。
【００１４】
また、各保持筒部２６の開口縁部２７には、図示例のように計２個の切欠部２８が設けておくのが好ましいが、必要により１個の切欠部２８のみを設けて始端部１５ａとリード線１６もしくは終端部１５ｂとリード線１７とを一括して導入・導出できるようにしておくこともできる。
【００１５】
本発明はこのようにして構成されているので、巻線１５から引き出された始端部１５ａと終端部１５ｂとを各別にリード線１６，１７に絡め付けてはんだ付けしてなる連結部１８，１９のうち、一方の連結部１８は、一方の保持筒部２６内に、他方の連結部１９は他方の保持筒部２６内に差し込まれることにより、安定的に収納保持させておくことができる。
【００１６】
しかも、各保持筒部２６に図示例のように２個の切欠部２８が設けられている場合には、一方の切欠部２８を介して始端部１５ａを導入し、他方の切欠部２８を介してリード線１６もしくはリード線１７を導出した上で、それぞれの保持筒部２６内に連結部１８もしくは連結部１９を図２に示すようにより安定した状態のもとで収納保持させることができる。
【００１７】
かくして、カバー部２３の各保持筒部２６内に連結部１８，１９を個別に差し込んで収納させた後は、図示しない他方のコアカバーの前記ボス部と当接させた際に切欠部２８を介してリード線１６およびリード線１７を引き出した上で、前記ボス部を利用してウェルダ溶着し、リード線１６，１７を他方のコアカバーの側に固着させて保持させることになる。
【００１８】
このため、連結部１８，１９のそれぞれは、対応する保持筒部２６内に各別に収納保持されて周辺部位から隔離させることができるので、相互が短絡するような不測の事態の発生を未然に防止することができる。
【００１９】
さらに、リード線１６，１７の側に引張力などのような負荷が仮にかかったとしても、連結部１８，１９のそれぞれは、保持筒部２６内から強制的に抜脱させられることなく安定的に収納保持させることができるほか、連結部１８，１９自体の位置固定も単に保持筒部２６内に差し込めばよいので、作業を簡素化してその効率を高めることができる。
【００２０】
【発明の効果】
以上述べたように本発明によれば、巻線から引き出された始端部と終端部とを各別にリード線に連結してなる各連結部のうち、一方の連結部は一方の保持筒部内に、他方の連結部は他方の保持筒部内にそれぞれ差し込むことにより、安定的に収納保持させておくことができる。
【００２１】
この場合、各保持筒部内に連結部を個別に差し込んで収納させた後は、他方のコアカバーの前記ボス部と当接させた際に切欠部を介してリード線を引き出した上で、前記ボス部を利用してウェルダ溶着し、リード線を他方のコアカバーの側に固着させて保持させることで、各保持筒部内に対応する連結部をより安定した状態のもとで収納保持させることができる。
【００２２】
しかも、連結部のそれぞれは、対応する保持筒部内に各別に収納保持されて周辺部位から隔離させることができるので、相互が短絡するような不測の事態の発生を未然に防止することができる。
【００２３】
さらに、リード線の側に負荷がかかったとしても、連結部のそれぞれは、保持筒部内から抜脱させられることなく安定的に収納保持させることができるほか、連結部自体の位置固定も単に保持筒部内に差し込めばよいので、作業を簡素化してその効率を高めることができる。
【図面の簡単な説明】
【図１】  本発明にあって開閉自在に配設されるコアセンサの一方の側（右半分）につきその内部構造例を示す要部説明図。
【図２】  図１において保持筒部が位置する部位の縦断面図。
【図３】  従来からあるクランプ式電流計が備える一対のコアセンサにつき一方のコアセンサを例に巻線から引き出された始端部と終端部とに各別にリード線を接続して形成される各連結部の配置状況を示す説明図。
【符号の説明】
１  コアセンサ
２  磁気コア
３  ボビン
４  巻線
４ａ  始端部
４ｂ  終端部
５，６  リード線
７，８  連結部
９，１０  絶縁テープ
１１  クランプ式電流計
１２  コアセンサ
１３  磁気コア
１４  ボビン
１５  巻線
１５ａ  始端部
１５ｂ  終端部
１６，１７  リード線
１８，１９  連結部
２０  絶縁テープ
２２  コアカバー
２３  カバー部
２４  内側面
２５  レバー
２６  保持筒部
２７  開口縁部
２８  切欠部
【図１】
0003694435.tif 000002
【図２】
0003694435.tif 000003
【図３】
0003694435.tif 000004